(57)【特許請求の範囲】
【請求項１】
音源をスピーカ上へ投射する方法であって、
上記音源を表す音響オブジェクトを受け取る段階であって、該音響オブジェクトは、音源にオーディオ信号と上記音源の仮想の空間位置を指定する空間情報とが割り当てられている段階と、
それぞれの音源の上記空間情報とそれぞれのスピーカの位置情報とを用いて、上記音源と上記スピーカの間の仮想的距離を計算する段階と、
各スピーカに対して別々に計算した仮想距離の関数として上記音響オブジェクトのオーディオ信号を処理する段階と、
を有することを特徴とする方法。
【請求項２】
上記オーディオ信号を処理するときに、以下のパラメータ、即ち、
例えば減衰又は回折といった振幅減衰と、
様々な音響オブジェクト及びスピーカの異なる伝搬時間と、
外耳関数によるスピーカレベルの空間配置への依存性の考慮とのうちの１つ以上が考慮されることを特徴とする、請求項１記載の方法。
【請求項３】
上記パラメータの周波数依存性は、オーディオ信号の処理においても考慮されることを特徴とする、請求項２記載の方法。
【請求項４】
上記パラメータを考慮するために必要とされる数学的関数、例えば減衰関数は、距離及び／又は偏向角の関数として伝送及び／又は記憶されることを特徴とする、請求項３記載の方法。
【請求項５】
音響オブジェクトのデータは、ＭＰＥＧ−４規格に従って圧縮データストリームによって記憶及び／又は伝送されることを特徴とする、請求項４記載の方法。
【請求項６】
音源をスピーカ上へ投射する装置であって、
上記音源を表す音響オブジェクトを受け取る受け取り手段であって、該音響オブジェクトは、音源にオーディオ信号と上記音源の仮想の空間位置を指定する空間情報とが割り当てられている受け取り手段と、
それぞれの音源の上記空間情報とそれぞれのスピーカの位置情報とを用いて、上記音源と上記スピーカの間の仮想的距離を計算する計算部と、
ｎ個の音響オブジェクト及びｋ個のスピーカに対してｎ×ｋ個のアクチュエータであって、アクチュエータは上記スピーカのうちのいずれか１つを参照して上記計算された仮想距離の関数として音響オブジェクトのオーディオ信号の処理を実行するアクチュエータと、を有することを特徴とする装置。
【請求項７】
アクチュエータは、以下のユニット、即ち、
振幅整合のためのユニットと、
異なる伝搬時間を補正するための時間遅延ユニットと、
外耳関数を考慮するためのユニットとのうちの少なくとも１つを含むことを特徴とする、請求項６記載の装置。
【請求項８】
上記パラメータの周波数依存性は上記アクチュエータによっても考慮され、信号はまずスプリットフィルタによって周波数帯域へ分割され、個々の周波数帯域は次に個々に処理され、続いて上記処理された周波数帯域はマージフィルタによって再結合されることを特徴とする、請求項７記載の装置。
【請求項９】
上記スプリットフィルタ及び／又は上記マージフィルタは、いかなる場合も存在するオーディオデコーダの一部であることを特徴とする、請求項８記載の装置。
【請求項１０】
上記夫々のスピーカの位置及び／又はパラメータを考慮するための数学的関数が記憶されるべきメモリが設けられることを特徴とする、請求項６記載の装置。
【請求項１１】
上記スピーカの位置を測定するために使用される１つ以上の指向性マイクロホンが設けられることを特徴とする、請求項８記載の装置。
【請求項１２】
上記指向性マイクロホンは遠隔制御装置の中に統合されることを特徴とする、請求項１１記載の装置。
【発明の詳細な説明】
【０００１】
本発明は、特に音源の空間再生を可能にするために音源をスピーカへ投射する方法及び装置に関する。
【０００２】
従来技術
ＭＰＥＧ−２規格ＩＳＯ１３８１８より、オーディオ再生のためのマルチチャネルステレオ、サラウンド音声とも称される、による空間表現を目標とすることが既知である。マルチチャネル音声にはこの場合は６つのチャネルが設けられ、そのうち３つのチャネル（左、中央、右）は聴取者の前方の空間に配置され、２つのチャネル（左サラウンド、右サラウンド）は聴取者の後方の空間に配置され、第６のチャネルは特殊効果用の低ピッチのトーンを再生するために設けられる。音声チャネルは、ＭＰＥＧ−１オーディオ信号との逆互換性を確実にするため、及び完全なサラウンド音声スピーカ形態ではなく１対のスピーカのみが存在する場合に充分な再生を可能とするために、マトリックス化されている。この場合、計算されたステレオ信号はＭＰＥＧ−１互換性ステレオ信号として伝送され、残る信号は追加的なデータとして伝送される。
【０００３】
発明
本発明は、仮想音源の空間再生のための方法を特定することを目的とする。この目的は請求項１に特定される方法によって達成される。
【０００４】
本発明は、本発明による方法を適用するための装置を特定することを目的とする。この目的は請求項８に記載される装置によって達成される。
【０００５】
オーディオ信号を再生するために、後者の周波数は存在するスピーカの位置へ投射されねばならない。例として以下の幾つかの投射が挙げられる。
（ａ）モノ信号を１対のステレオスピーカへ投射する。
（ｂ）３／２信号（前方の３つのスピーカ／後方の２つのスピーカ）を２／２スピーカ配置へ投射する。
（ｃ）３ｍ離れており、左３０°、上方１０°の位置の信号を、８つのスピーカが２ｍの距離で夫々４５°の間隔で配置されるスピーカリング上に投射する。
（ｄ）室内の２つの音源を２つのスピーカへ投射する。
【０００６】
オーディオ信号の伝送のためには特定の形態の上に固定されねばならないことは望ましくない。しかしながら、可能な組合せが限りなくあるという問題がある。
【０００７】
原理的には、音源をスピーカ上へ投射するための本発明による方法は、上記音源は音響オブジェクトとして解釈され、音響オブジェクトは、音源にオーディオ信号と上記音源の仮想の空間位置を指定する空間情報の項目とが割り当てられて構成されることからなる。
【０００８】
有利には、オーディオ信号は、音響オブジェクトを再生するために、空間情報の関連する項目の関数として処理される。
【０００９】
この場合、望ましくはスピーカの空間位置は更に考慮され、音源とスピーカとの間の仮想距離は空間情報とスピーカの位置とから計算され、音響オブジェクトのために各スピーカに対してオーディオ信号の別々の処理が行われる。
【００１０】
更に、上記オーディオ信号を処理するときに、以下のパラメータ、即ち、例えばダンピング又は回折といった振幅減衰と、
様々な音響オブジェクト及びスピーカに対する異なる伝搬時間と、
外耳関数による空間配置上のスピーカレベルの依存の考慮とのうちの１つ以上が考慮されることが有利である。
【００１１】
この場合、オーディオ信号の処理は、上記パラメータの周波数依存性が考慮されれば更に改善される。
【００１２】
上記パラメータを考慮するために必要とされる数学的関数、例えば減衰関数は、距離及び／又は偏向角の関数として伝送及び／又は記憶される。
【００１３】
音響オブジェクトのデータが、ＭＰＥＧ−４規格に従って圧縮データストリームによって記憶及び／又は伝送されれば特に有利である。
【００１４】
原理的には、音源をスピーカ上へ投射するための本発明による装置は、オーディオ信号と共に伝送された空間情報の項目及びスピーカの実際の位置から仮想音響オブジェクトと夫々のスピーカとの間の距離を計算する算術ユニットが設けられることからなる。
【００１５】
この場合、上記夫々のスピーカの位置及び／又はパラメータを考慮するための数学的関数が記憶されるべきメモリが設けられることが望ましい。
【００１６】
ｎの音響オブジェクト及びｋのスピーカに対してｎ×ｋのアクチュエータ（７，８，９）が設けられ、アクチュエータは上記スピーカのうちのいずれか１つを参照して音響オブジェクトの処理を実行することが有利である。
【００１７】
この場合、上記パラメータの周波数依存性は上記アクチュエータによっても考慮され、信号はまずスプリットフィルタ（１０）によって周波数帯域へ分割され、個々の周波数帯域は次に個々に処理され、続いて上記処理された周波数帯域はマージフィルタ（１２）によって再結合される。
【００１８】
上記スプリットフィルタ及び／又は上記マージフィルタが、いかなる場合も存在するオーディオデコーダの一部である場合、特に有利である。
【００１９】
更に、上記スピーカの位置を測定するために使用される１つ以上の指向性マイクロホンが設けられることが望ましい。
【００２０】
上記指向性マイクロホンは遠隔制御装置の中に統合されることが望ましい。
【００２１】
図面
以下、本発明の典型的な実施例を図面を参照して説明し、図中、
図１は存在するスピーカ対へ投射されるべき仮想音源を示す図であり、
図２は音声路を計算するモデルの図式的表現を示す図であり、
図３は説明されるモデルの表現回路のブロック図を示す図であり、
図４は本発明によるオーディオデコーダの一部を示す図である。典型的な実施例
典型的な問題は図１に示される。２つの仮想音源３、即ちバイオリン及びトランペットは、聴取者１がバイオリン及びトランペットが図１中に示される空間位置に配置されるような印象を受けるよう、存在する１対のスピーカ２に投射されるべきである。
【００２２】
以下の観察に基づいて、かかる投影用のモデルを形成することができる。人物は、複数の開放された窓を有する部屋の中にいる。部屋の外側には、ストリートミュージシャン、自動車の警笛等といった様々な音源、以下音響オブジェクトとも称される、が存在する。人物は、様々な音源が見えなくとも実質的に音響的に音源の場所が分かる。これは様々な窓を通る音声路が異なるためである。以下説明されるモデルは、各窓をスピーカによって置き換えることに基づく。スピーカが正しく作動しているとすると、同一の音場が生じ、従って同様に音響オブジェクトの場所が分かることが可能なはずである。
【００２３】
図２はモデルの図式的表現を示す図である。聴取者１は任意の形状の部屋の中におり、この部屋は吸収体材料からなる壁５を有し、従って外部から音声が通過せず、部屋の内部で反射が生じない。音源３は、基本的には部屋の外側に配置される。スピーカ又は窓は、部屋の壁の孔６によって考慮される。これにより、音源３から聴取者１へ様々なスピーカ又は窓開口６を通じた様々な音声路４を生成する。音声はこの場合、各音声路がそれ自体の特徴を有するが全てのスピーカ又は窓開口を通って部屋に進入する。
【００２４】
図３はその中でモデルが変換されるべき表現回路のブロック図を示す図である。２つの音響オブジェクト３、即ちバイオリン及びトランペットはこの場合は、３つの存在するスピーカ上へ投射される。夫々の仮想音声路に従った駆動を可能とするため、各音響オブジェクトに対して、オーディオ信号はこの音響オブジェクトの仮想空間位置と各スピーカの実際の位置との関数として処理される。ｎの音響オブジェクトとｋのスピーカとして一般化すると、ｎ×ｋのアクチュエータが使用されることを意味する。この場合、仮想音声路に従って夫々のアクチュエータの中の１つ以上の以下のパラメータ７，８，９が考慮される。振幅を正しく駆動するために、後者はまず路の長さの関数として計算されねばならない。更に、空気による減衰又は吸収に対する考慮がなされねばならない。この場合、音源の種類、又は空気の減衰に依存して異なる関数が考慮されねばならない。従って球状音源は距離の平方によってその音響パワーを失い、即ち受信されるパワーは以下の式、
受信されるパワー（ｒ）：＝送信される電力／ｒ2
によって与えられる。
【００２５】
これに対して、例えば列車又は道路といった円筒状音源は、単純な距離によってその音響パワーを失う。夫々の関数はこの場合は表現回路の中に記憶されうるが、同様に送信され信号と共に記憶されうる。これらは同様に夫々のアプリケーション又はユーザによって決定されうる。更に、スピーカ又は窓開口において生ずる回折を考慮することもまた可能である。これらの回折効果を正確に考慮することを可能にするために、回折は、周波数及び位相を考慮して特定の孔の幾何形状によって全ての音声路の総和によって計算されねばならない。これにより近似的には、低い周波数では入射角とは独立に全ての方向に伝搬が生じ、一方、高い周波数ではオーディオ信号の振幅は夫々の孔への入る方向と出る方向との間の角度の関数である。近似式は計算上の費用を減少するために使用されうる。かかる式はまた、減衰の場合について上述されたように、同時に送信されうるか、又はアプリケーション又はユーザによって設定されうる。回折効果は周波数に依存するため、回折減衰を正確に計算することが可能であるためにはこの周波数への依存を考慮することが必要である。これを技術的に実現するには、決められたグループの遅延時間を有するフィルタを使用するか、又は信号を周波数帯域へ分割しそれらを個々に処理することが必要である。
【００２６】
図４に示されるように、この場合、スプリットフィルタ１０によって分割を行うことができ、それに続き様々なアクチュエータ１１によって処理が実行され、最後に処理された信号はマージフィルタ１２によって再結合される。特にＭＰＥＧ，ＡＣ３，又はＡＴＲＡＣ信号の場合はこれらの処理は周波数ドメインで実行され、このために既にスプリットフィルタが設けられているため、ＭＰＥＧ，ＡＣ３，又はＡＴＲＡＣ信号用の典型的なオーディオデコーダへ統合されえ、結果として追加的なスプリットフィルタを設ける必要はない。
【００２７】
更なるパラメータは信号の伝搬時間（遅延）である。ここでは原理的に、最初に耳に当たる音波が決定的に方向の認知に関与することが適用できる。路の長さがｒであり、音の平均速度ｃが約３４０ｍ／ｓであるとき、
遅延（ｒ）：＝ｒ／ｃ
であることが成立する。
【００２８】
この場合、長さｒはスピーカと聴取者との間の最短距離ほど短くされうる。これは表現ユニットの中の記憶要件を減少させる。
【００２９】
音源と人間の鼓膜との間には、方向及び周波数に依存する伝達関数、或いは外耳関数と称される、が存在する。簡単に述べると、前方からの音は後方からの音とは異なって耳の筋肉によってフィルタされる。
【００３０】
角度ｘに位置決めされる仮想音源を角度ｚで設けられるスピーカによって放射することが所望であれば、外耳関数が考慮されるべきである。これは、仮想位置及びスピーカ位置の間の差分レベル信号が決定され、信号が適当にフィルタリングされることを要求する。外耳関数は全ての人に対して同じではないため、特に良好な補正のためにユーザは様々な外耳関数から選択することが可能であることが考えられる。
【００３１】
ここではまた、フィルタはオーディオデコーダの周波数面の中のアクチュエータによって実現されうる。
【００３２】
実際のスピーカの位置は、仮想音響オブジェクトと実際のスピーカとの間の路の長さを決めるよう決定されねばならない。このために様々な方法が考えられる。従って、ユーザはメートル定規等を使用して夫々のスピーカ筐体の位置の空間座標を測定することができ、対応する距離データを表現回路へ中継する入力装置へ入力することができる。入力はここでは、適当な装置のキーボード又は遠隔制御装置を使用して実行されえ、また、適当であれば入力データを監視すること、又はユーザがディスプレイ装置又はビュー装置のスクリーン上の表示によって案内されることが可能である。
【００３３】
また、ユーザが距離を機械的に測定する必要がないように、１つ以上の指向性マイクロホンによってスピーカシステムを測定することが可能である。指向性マイクロホンからスピーカまでの距離は、この場合、スピーカを通じてパルスを有するテストシーケンスを再生し、伝搬時間を測定することによって決定されうる。個々のスピーカの角度は次に、指向性マイクロホンの指向性特徴によって決定されうる。するとスピーカ形態を自動的に測定することが可能である。特に、この場合、マイクロホンを遠隔制御装置の中に統合することが自明である。
【００３４】
仮想の路の長さ全体は、次に仮想音響オブジェクトの位置と、上述のように、夫々のスピーカについて決定された位置から生成される。この場合、２つの位置に対して様々な表現の可能性が考えられる。従って、これは例えば、デカルト座標、即ち空間中の３つの方向全てにおける距離の指定、又は極座標、即ち距離の指定及び水平角、適当であれば垂直角の指定によって実行されうる。
【００３５】
殆どの場合にスピーカの位置が不変のままにされねばならない一方で、音響オブジェクトの仮想位置における変化は確かにしばしば生ずる。これは特にオーディオ信号がビデオ信号に伴って再生される場合に当てはまる。従って、例えば長編映画の場合、俳優又は車両はスクリーン上を移動したり、スクリーンから消えたりすることができ、従って空間的な位置を変化させうる。同様に、音声出力を有するコンピュータゲームでは、ゲーム参加者は例えばジョイスティックを使用してプレーヤによって動かされ、ゲーム参加者に割り当てられた音信号の再生はプレーヤによって指令又は変更される位置に従って適合されることが考えられる。
【００３６】
本発明は、例えばＭＰＥＧ−４，ＭＰＥＧ−２又はＡＣ３規格に従ってディジタルオーディオ信号を送信するだけでなく記録及び再生するために使用されうる。これは、例えばＣＤプレーヤ、ＤＡＢ又はＡＤＲ受信器による純粋なオーディオ信号再生、及び例えばＤＶＤプレーヤ又はディジタルテレビジョン受像機におけるビデオ信号に従うオーディオ信号の再生でありうる。更に、この場合テレビ電話又はコンピュータゲームといった相互対話型システムの場合にも考えられる。
【図１】
0004597275.tif 000002
【図２】
0004597275.tif 000003
【図３】
0004597275.tif 000004
【図４】
0004597275.tif 000005